(57)【特許請求の範囲】
【請求項１】
リモコン装置の本体であって、装着可能な環状体である本体と、
ユーザーによって入力された操作ジェスチャによって生成された信号を検出するように構成されるセンサーと、
前記センサーに接続され、前記操作ジェスチャによって生成された前記信号を分析し、分析結果に従って対応する制御信号を生成するように構成されるプロセッサと、
前記プロセッサに接続され、端末デバイスが前記制御信号に従って対応する操作を実行できるように、前記制御信号を前記端末デバイスに送信するように構成される第１の無線通信モジュールと、
を備えるリモコン装置であって、
前記センサーは、
前記リモコン装置の前記本体の外表面に位置し、前記ユーザーによって入力されたタッチジェスチャを受けるように構成されるタッチパッドであって、前記タッチジェスチャは前記操作ジェスチャの１種類である、タッチパッドと、
第１のセンサーであって、前記リモコン装置の前記本体の内表面に位置し、前記リモコン装置が移動したときに移動方向と前記移動方向における移動距離を検出するように構成される第１のセンサーと、
を有し、
前記プロセッサは、
ユーザー操作によって生成され前記タッチパッドによって検出される接触領域を取得するように構成され、
前記接触領域の中で円周方向距離が最大である２点の間隔を第１の長さとして取得するように構成され、
前記接触領域の中で軸方向距離が最大である２点の間隔を第２の長さとして取得するように構成され、
前記リモコン装置の第１の移動方向における移動距離が第１の所定の移動距離未満であり、第２の移動方向における移動距離が第２の所定の移動距離未満であり、且つ、前記第１の長さが第１の所定の長さ以上であり、前記第２の長さが第２の所定の長さ以上である場合、前記操作ジェスチャが覆うジェスチャであると判定するように構成され、
前記第１の移動方向は前記環状体の円周方向と平行であり、前記第２の移動方向は前記リモコン装置の前記本体の軸方向と平行である、
リモコン装置。
【請求項２】
前記第１の無線通信モジュールは更に、前記端末デバイスが第１の操作命令テーブルに従って前記端末デバイスの操作命令テーブルを更新できるように、前記第１の操作命令テーブルを前記端末デバイスの第２の無線通信モジュールに送信するように構成され、前記第１の操作命令テーブルは操作ジェスチャと応答命令の関係を記録し、
前記プロセッサは、前記ユーザーによって入力された前記操作ジェスチャによって生成された前記信号に従って、前記操作ジェスチャを指示する制御信号を生成するように構成され、
前記第１の無線通信モジュールは、前記端末デバイスが前記制御信号によって指示される前記操作ジェスチャに従って前記第１の操作命令テーブルにクエリを行い、クエリ結果に従って、前記操作ジェスチャに対応する応答命令を実行できるように、前記制御信号を前記端末デバイスに送信するように構成される、
請求項１に記載のリモコン装置。
【請求項３】
前記第１の無線通信モジュールは更に、第２の無線通信モジュールによって送信された第２の操作命令テーブルを受信するように構成され、
前記第１の無線通信モジュールは更に、前記第２の操作命令テーブルに従って前記リモコン装置の操作命令テーブルを更新するように構成され、前記第２の操作命令テーブルは制御信号と応答命令との関係を記録し、
前記プロセッサは、前記操作ジェスチャに従って前記第２の操作命令テーブルにクエリを行い、前記操作ジェスチャに対応する応答命令を搬送する制御信号を生成するように構成され、
前記第１の無線通信モジュールは、前記端末デバイスが前記制御信号に搬送される前記応答命令を実行できるように、前記制御信号を前記端末デバイスに送信するように構成される、
請求項１に記載のリモコン装置。
【請求項４】
前記プロセッサは更に、タッチパッドによって報告されるタッチポイント情報を受信するように構成され、タッチポイントは連続的であり、
前記操作ジェスチャの開始位置座標および終了位置座標を記録するように構成され、
前記終了位置座標における前記ユーザーの操作停留時間を記録するように構成され、
前記開始位置座標と前記終了位置座標との距離が第１の所定の距離以上であり、前記操作停留時間が第１の時間閾値以上である場合、前記操作ジェスチャがタッチしスライドした後にホールドするジェスチャであると判定するように構成されることを含む、
請求項１乃至３のいずれか一項に記載のリモコン装置。
【請求項５】
前記プロセッサは更に、
ユーザー操作によって生成されタッチパッドによって検出される接触領域を取得するように構成され、
前記接触領域の中で円周方向距離が最大である２点の間隔を第１の長さとして取得するように構成され、
前記接触領域の中で軸方向距離が最大である２点の間隔を第２の長さとして取得するように構成され、
前記リモコン装置の第１の移動方向における移動距離が第１の所定の移動距離以上であり、移動時間が第１の所定の移動時間未満であり、同時に、前記ユーザーの移動停止位置における操作停留時間が第２の時間閾値以下であり、前記第１の長さが第１の所定の長さ以上であり、前記第２の長さが第２の所定の長さ以上である場合、前記操作ジェスチャが覆って回転させるジェスチャであると判定するように構成され、
前記第１の移動方向は前記環状体の円周方向と平行である、
請求項１乃至４のいずれか一項に記載のリモコン装置。
【請求項６】
前記プロセッサは更に、
ユーザー操作によって生成されタッチパッドによって検出される接触領域を取得するように構成され、
前記接触領域の中で円周方向距離が最大である２点の間隔を第１の長さとして取得するように構成され、
前記接触領域の中で軸方向距離が最大である２点の間隔を第２の長さとして取得するように構成され、
前記リモコン装置の第２の移動方向における移動距離が第２の所定の移動距離以上であり、移動時間が第２の所定の移動時間未満であり、同時に、前記ユーザーの移動停止位置における操作停留時間が第２の時間閾値以下であり、前記第１の長さが第１の所定の長さ以上であり、前記第２の長さが第２の所定の長さ以上である場合、前記操作ジェスチャが覆って平行移動させるジェスチャであると判定するように構成され、
前記第２の移動方向は前記リモコン装置の前記本体の軸方向と平行である、
請求項１乃至４のいずれか一項に記載のリモコン装置。
【請求項７】
前記プロセッサは更に、
ユーザー操作によって生成されタッチパッドによって検出される接触領域を取得するように構成され、
前記接触領域の中で円周方向距離が最大である２点の間隔を第１の長さとして取得するように構成され、
前記接触領域の中で軸方向距離が最大である２点の間隔を第２の長さとして取得するように構成され、
前記リモコン装置の第１の移動方向における移動距離が第１の所定の移動距離以上であり、移動時間が第１の所定の移動時間未満であり、同時に、前記ユーザーの移動停止位置における操作停留時間が第２の時間閾値より長く、前記第１の長さが第１の所定の長さ以上であり、前記第２の長さが第２の所定の長さ以上である場合、前記操作ジェスチャが覆って回転させた後にホールドするジェスチャであると判定するように構成され、
前記第１の移動方向は前記環状体の円周方向と平行である、
請求項１乃至４のいずれか一項に記載のリモコン装置。
【請求項８】
リモコン装置に適用される情報処理方法であって、
ユーザーによって入力された操作ジェスチャによって生成される信号を受信するステップと、
前記操作ジェスチャによって生成される前記信号を分析するステップと、
分析結果に従って制御信号を生成するステップと、
端末デバイスが前記制御信号に従って対応する操作を実行できるように、前記制御信号を前記端末デバイスに送信するステップと、
を有し、
前記リモコン装置は、リモコン本体であって、装着可能な環状体であるリモコン本体と、ユーザーによって入力された操作ジェスチャによって生成された信号を検出するように構成されるセンサーと、前記センサーに接続され、前記操作ジェスチャによって生成された前記信号を分析し、分析結果に従って対応する制御信号を生成するように構成されるプロセッサと、前記プロセッサに接続され、端末デバイスが前記制御信号に従って対応する操作を実行できるように、前記制御信号を前記端末デバイスに送信するように構成される第１の無線通信モジュールと、を備え、
前記センサーは、
前記リモコン本体の外表面に位置し、前記ユーザーによって入力されたタッチジェスチャを受けるように構成されるタッチパッドであって、前記タッチジェスチャは前記操作ジェスチャの１種類である、タッチパッドと、
第１のセンサーであって、前記リモコン本体の内表面に位置し、前記リモコン装置が移動したときに移動方向と前記移動方向における移動距離を検出するように構成される第１のセンサーと、
を有し、
前記操作ジェスチャによって生成された前記信号を分析する前記ステップは、
ユーザー操作によって生成され前記タッチパッドによって検出される接触領域を取得するステップと、
前記接触領域の中で円周方向距離が最大である２点の間隔を第１の長さとして取得するステップと、
前記接触領域の中で軸方向距離が最大である２点の間隔を第２の長さとして取得するステップと、
前記リモコン装置の第１の移動方向における移動距離が第１の所定の移動距離未満であり、第２の移動方向における移動距離が第２の所定の移動距離未満であり、且つ、前記第１の長さが第１の所定の長さ以上であり、前記第２の長さが第２の所定の長さ以上である場合、前記操作ジェスチャが覆うジェスチャであると判定するステップ、
を含み、
前記第１の移動方向は前記環状体の円周方向と平行であり、前記第２の移動方向は前記リモコン本体の軸方向と平行である、
情報処理方法。
【請求項９】
当該情報処理方法は更に、
前記端末デバイスが第１の操作命令テーブルに従って前記端末デバイスの操作命令テーブルを更新できるように、前記端末デバイスに前記第１の操作命令テーブルを送信するステップ、
を有し、前記第１の操作命令テーブルは操作ジェスチャと応答命令の関係を記録し、
前記端末デバイスが前記制御信号に従って対応する操作を実行できるように前記制御信号を端末デバイスに送信する前記ステップは、
前記端末デバイスが前記制御信号によって指示される前記操作ジェスチャに従って前記第１の操作命令テーブルにクエリを行い、クエリ結果に従って対応する応答命令を実行できるように、前記制御信号を前記端末デバイスに送信するステップ、
を含む、
請求項８に記載の情報処理方法。
【請求項１０】
当該情報処理方法は更に、
第２の無線通信モジュールによって送信される第２の操作命令テーブルを受信するステップと、
前記第２の操作命令テーブルに従って、前記リモコン装置の操作命令テーブルを更新するステップと、
を有し、前記第２の操作命令テーブルは、制御信号と応答命令との関係を記録し、
前記端末デバイスが前記制御信号に従って対応する操作を実行できるように前記制御信号を端末デバイスに送信する前記ステップは、
前記端末デバイスが前記制御信号に搬送される前記応答命令を実行できるように、前記制御信号を前記端末デバイスに送信するステップ、
を含む、請求項８に記載の情報処理方法。
【請求項１１】
前記操作ジェスチャによって生成された前記信号を分析する前記ステップは、更に、
前記タッチパッドによって報告されるタッチポイント情報を受信するステップであって、タッチポイントは連続的である、ステップと、
前記操作ジェスチャの開始位置座標および終了位置座標を記録するステップと、
前記終了位置座標における前記ユーザーの操作停留時間を記録するステップと、
前記開始位置座標と前記終了位置座標との距離が第１の所定の距離以上であり、前記操作停留時間が第１の時間閾値以上である場合、前記操作ジェスチャがタッチしスライドした後にホールドするジェスチャであると判定するステップと、
を含む、請求項８乃至１０のいずれか一項に記載の情報処理方法。
【請求項１２】
前記操作ジェスチャによって生成された前記信号を分析する前記ステップは、更に、
ユーザー操作によって生成され前記タッチパッドによって検出される接触領域を取得するステップと、
前記接触領域の中で円周方向距離が最大である２点の間隔を第１の長さとして取得するステップと、
前記接触領域の中で軸方向距離が最大である２点の間隔を第２の長さとして取得するステップと、
前記リモコン装置の第１の移動方向における移動距離が第１の所定の移動距離以上であり、移動時間が第１の所定の移動時間未満であり、同時に、前記ユーザーの移動停止位置における操作停留時間が第２の時間閾値以下であり、前記第１の長さが第１の所定の長さ以上であり、前記第２の長さが第２の所定の長さ以上である場合、前記操作ジェスチャが覆って回転させるジェスチャであると判定するステップ、
を含み、
前記第１の移動方向は前記環状体の円周方向と平行である、
請求項８乃至１０のいずれか一項に記載の情報処理方法。
【請求項１３】
前記操作ジェスチャによって生成された前記信号を分析する前記ステップは、更に、
ユーザー操作によって生成され前記タッチパッドによって検出される接触領域を取得するステップと、
前記接触領域の中で円周方向距離が最大である２点の間隔を第１の長さとして取得するステップと、
前記接触領域の中で軸方向距離が最大である２点の間隔を第２の長さとして取得するステップと、
前記リモコン装置の第２の移動方向における移動距離が第２の所定の移動距離以上であり、移動時間が第２の所定の移動時間未満であり、同時に、前記ユーザーの移動停止位置における操作停留時間が第２の時間閾値以下であり、前記第１の長さが第１の所定の長さ以上であり、前記第２の長さが第２の所定の長さ以上である場合、前記操作ジェスチャが覆って平行移動させるジェスチャであると判定するステップ、
を含み、
前記第２の移動方向は前記リモコン本体の軸方向と平行である、
請求項８乃至１０のいずれか一項に記載の情報処理方法。
【請求項１４】
前記操作ジェスチャによって生成された前記信号を分析する前記ステップは、更に、
ユーザー操作によって生成され前記タッチパッドによって検出される接触領域を取得するステップと、
前記接触領域の中で円周方向距離が最大である２点の間隔を第１の長さとして取得するステップと、
前記接触領域の中で軸方向距離が最大である２点の間隔を第２の長さとして取得するステップと、
前記リモコン装置の第１の移動方向における移動距離が第１の所定の移動距離以上であり、移動時間が第１の所定の移動時間未満であり、同時に、前記ユーザーの移動停止位置における操作停留時間が第２の時間閾値より長く、前記第１の長さが第１の所定の長さ以上であり、前記第２の長さが第２の所定の長さ以上である場合、前記操作ジェスチャが覆って回転させた後にホールドするジェスチャであると判定するステップ、
を含み、
前記第１の移動方向は前記環状体の円周方向と平行である、
請求項８乃至１０のいずれか一項に記載の情報処理方法。
【請求項１５】
請求項１乃至７のいずれか一項に記載のリモコン装置および端末デバイスを備える情報処理システムであって、
前記端末デバイスは、前記リモコン装置によって送信される制御命令に従って、対応する操作を実行するように構成される、
情報処理システム。
【発明の詳細な説明】
【技術分野】
【０００１】
本発明は電子技術分野に関し、特に、リモコン装置、情報処理方法およびシステムに関する。
【背景技術】
【０００２】
リモコン装置は、端末デバイスを遠隔制御するための装置である。現在のリモコン装置は主にプッシュボタン式リモコン装置であり、複数の凸状のプッシュボタンが配置されている。ユーザーは、プッシュボタン式リモコン装置を手に持ち、異なるプッシュボタンを押すことにより、端末デバイスが対応する応答命令を実行するように制御することができる。しかしながら、プッシュボタン式リモコン装置では、ユーザーはプッシュボタンのクリック、押下、保持等のアクションにより端末デバイスを制御する必要があり、また、持ち運びが容易ではない。したがって、プッシュボタン式リモコン装置を用いる場合、ユーザーエクスペリエンスが比較的悪い。
【発明の概要】
【０００３】
本発明の実施形態は、ユーザーエクスペリエンスを向上させることができるリモコン装置ならびに情報処理方法およびシステムを提供する。リモコン装置は持ち運びが容易である。
【０００４】
上述の目的を達成するために、本発明の実施形態は、以下の技術的解決策を採用する。
【０００５】
第１の態様によれば、リモコン装置が提供される。本リモコン装置は、
リモコン本体であって、装着可能な環状体であるリモコン本体と、
ユーザーによって入力された操作ジェスチャによって生成された信号を検出するように構成されるセンサーと、
プロセッサであって、センサーに接続され、操作ジェスチャによって生成された信号を分析し、分析結果に従って対応する制御信号を生成するように構成されるプロセッサと、
プロセッサに接続され、端末デバイスが制御信号に従って対応する操作を実行できるように、制御信号を端末デバイスに送信するように構成される第１の無線通信モジュールと、
を備える。
【０００６】
第１の態様に関して、第１の可能な実施方式では、
センサーは、
リモコン本体の外表面に位置し、ユーザーによって入力されたタッチジェスチャを受けるように構成されるタッチパッドであって、タッチジェスチャは操作ジェスチャの１つである、タッチパッド、
および／または、加速度センサーであって、ユーザーがリモコン装置を振ると生成される加速後を電圧出力信号に変換するように構成される加速度センサー、
および／または、第１のセンサーであって、リモコン本体の内表面に位置し、リモコン装置が移動したときに移動方向と移動方向における移動距離を検出するように構成される第１のセンサー、
を有する。
【０００７】
第１の可能な実施方式に関して、第２の可能な実施方式では、
プロセッサは更に、タッチパッドが受けた操作ジェスチャがペアリングを示すジェスチャである場合、第１のＮＦＣモジュールが所定の時間閾値内に端末デバイスの第２のＮＦＣモジュールと接続を確立し通信できるように、第１の近距離無線通信（ＮＦＣ）モジュールを起動するように構成され、第１のＮＦＣモジュールと第２のＮＦＣモジュールとの距離は特定の距離範囲内であり、
第１の無線通信モジュールは更に、第１のＮＦＣモジュールと第２のＮＦＣモジュールとの通信を用いて、リモコン装置の第１の無線通信モジュールと端末デバイスの第２の無線通信モジュールとの接続を確立するように構成され、
リモコン装置の第１の無線通信モジュールと端末デバイスの第２の無線通信モジュールとの接続は、ワイヤレス・フィディリティ（Ｗｉ−Ｆｉ）またはＢｌｕｅｔｏｏｔｈ接続である。
【０００８】
第２の可能な実施方式に関して、第３の可能な実施方式では、
第１の無線通信モジュールは更に、端末デバイスが第１の操作命令テーブルに従って端末デバイスの操作命令テーブルを更新できるように、第２の無線通信モジュールに第１の操作命令テーブルを送信するように構成され、第１の操作命令テーブルは操作ジェスチャと応答命令の関係を記録し、
プロセッサは特に、ユーザーによって入力された操作ジェスチャによって生成された信号に従って、操作ジェスチャを指示する制御信号を生成するように構成され、
第１の無線通信モジュールは特に、端末デバイスが制御信号によって指示される操作ジェスチャに従って第１の操作命令テーブルにクエリを行い、クエリ結果に従って、操作ジェスチャに対応する応答命令を実行できるように、制御信号を端末デバイスに送信するように構成される。
【０００９】
第２の可能な実施方式に関して、第４の可能な実施方式では、
第１の無線通信モジュールは更に、第２の無線通信モジュールによって送信された第２の操作命令テーブルを受信するように構成され、
第１の無線通信モジュールは更に、第２の操作命令テーブルに従ってリモコン装置の操作命令テーブルを更新するように構成され、第２の操作命令テーブルは制御信号と応答命令との関係を記録し、
プロセッサは特に、操作ジェスチャに従って第２の操作命令テーブルにクエリを行い、操作ジェスチャに対応する応答命令を搬送する制御信号を生成するように構成され、
第１の無線通信モジュールは特に、端末デバイスは制御信号に搬送される応答命令を実行できるように、制御信号を端末デバイスに送信するように構成される。
【００１０】
第１〜第４の可能な実施方式に関して、第５の可能な実施方式では、
操作ジェスチャは、タッチしスライドした後にホールドするジェスチャ、覆うジェスチャ、覆って回転させるジェスチャ、覆って平行移動させるジェスチャまたは覆って回転させた後にホールドするジェスチャを含む。
【００１１】
第５の可能な実施方式に関して、第６の可能な実施方式では、
プロセッサは特に、
タッチパッドによって報告されるタッチポイント情報を受信するように構成され、タッチポイントは連続的であり、
操作ジェスチャの開始位置座標および終了位置座標を記録するように構成され、
終了位置座標におけるユーザーの操作停留時間を記録するように構成され、
開始位置座標と終了位置座標との距離が第１の所定の距離以上であり、操作停留時間が第１の時間閾値以上である場合、操作ジェスチャがタッチしスライドした後にホールドするジェスチャであると判定するように構成される。
【００１２】
第５の可能な実施方式に関して、第７の可能な実施方式では、プロセッサは特に、
ユーザー操作によって生成されタッチパッドによって検出される接触領域を取得するように構成され、
接触領域の中で環方向距離が最大である２点の間隔を第１の長さとして取得するように構成され、
接触領域の中で軸方向距離が最大である２点の間隔を第２の長さとして取得するように構成される。
【００１３】
第７の可能な実施方式に関して、第８の可能な実施方式では、
プロセッサは特に、
リモコン装置の第１の移動方向における移動距が第１の所定の移動距離未満であり、第２の移動方向における移動距離が第２の所定の移動距離未満であり、且つ、第１の長さが第１の所定の長さ以上であり、第２の長さが第２の所定の長さ以上である場合、操作ジェスチャが覆うジェスチャであると判定するように構成され、
第１の移動方向は環状体の円周方向と平行であり、第２の移動方向はリモコン本体の軸方向と平行である。
【００１４】
第７の可能な実施方式に関して、第９の可能な実施方式では、
プロセッサは特に、
リモコン装置の第１の移動方向における移動距離が第１の所定の移動距離以上であり、移動時間が第１の所定の移動時間未満であり、同時に、ユーザーの移動停止位置における操作停留時間が第２の時間閾値以下であり、第１の長さが第１の所定の長さ以上であり、第２の長さが第２の所定の長さ以上である場合、操作ジェスチャが覆って回転させるジェスチャであると判定するように構成され、
第１の移動方向は環状体の円周方向と平行である。
【００１５】
第７の可能な実施方式に関して、第１０の可能な実施方式では、
プロセッサは特に、
リモコン装置の第２の移動方向における移動距離が第２の所定の移動距離以上であり、移動時間が第２の所定の移動時間未満であり、同時に、ユーザーの移動停止位置における操作停留時間が第２の時間閾値以下であり、第１の長さが第１の所定の長さ以上であり、第２の長さが第２の所定の長さ以上である場合、操作ジェスチャが覆って平行移動させるジェスチャであると判定するように構成され、
第２の移動方向はリモコン本体の軸方向と平行である。
【００１６】
第７の可能な実施方式に関して、第１１の可能な実施方式では、
プロセッサは特に、
リモコン装置の第１の移動方向における移動距離が第１の所定の移動距離以上であり、移動時間が第１の所定の移動時間未満であり、同時に、ユーザーの移動停止位置における操作停留時間が第２の時間閾値より長く、第１の長さが第１の所定の長さ以上であり、第２の長さが第２の所定の長さ以上である場合、操作ジェスチャが覆って回転させた後にホールドするジェスチャであると判定するように構成され、
第１の移動方向は環状体の円周方向と平行である。
【００１７】
第１の態様および第１〜第１１の可能な実施方式に関して、第１２の可能な実施方式では、
リモコン装置は更に、
マイクであって、リモコン本体の外表面に位置し、外部音声入力を受けるように構成されるマイク、
を備える。
【００１８】
第１の態様および第１〜第１２の可能な実施方式に関して、第１３の可能な実施方式では、
リモコン装置は更に、
表示灯であって、リモコン本体の外表面に位置し、ユーザーに向けて異なる色の表示信号を提供するように構成される表示灯、
を備える。
【００１９】
第２の態様によれば、上述のリモコン装置に適用される情報処理方法が提供される。本方法は、
ユーザーによって入力された操作ジェスチャによって生成される信号を受信するステップであって、操作ジェスチャは、タッチしスライドした後にホールドするジェスチャ、覆うジェスチャ、覆って回転させるジェスチャ、覆って平行移動させるジェスチャまたは覆って回転させた後にホールドするジェスチャを含む、ステップと、
操作ジェスチャによって生成される信号を分析するステップと、
分析結果に従って制御信号を生成するステップと、
端末デバイスが制御信号に従って対応する操作を実行できるように、制御信号を端末デバイスに送信するステップと、
を有する。
【００２０】
第２の態様に関して、第１の可能な実施方式では、
ユーザーによって入力された操作ジェスチャを受信するステップの前に、更に、
ペアリングを示す操作ジェスチャを受けるステップと、
リモコン装置の第１のＮＦＣモジュールを起動するステップと、
所定の時間閾値内に、第１のＮＦＣモジュールと端末デバイスの第２のＮＦＣモジュールとの距離が特定の距離範囲にまで短縮されたとき、第１のＮＦＣモジュールが、第２のＮＦＣモジュールとの接続を確立し通信を行うステップと、
第１のＮＦＣモジュールと第２のＮＦＣモジュールとの通信を用いて、リモコン装置の第１の無線通信モジュールと端末デバイスの第２の無線通信モジュールとの接続を確立するステップと、
を有し、
リモコン装置の第１の無線通信モジュールと端末デバイスの第２の無線通信モジュールとの接続は、ワイヤレス・フィディリティ（Ｗｉ−Ｆｉ）またはＢｌｕｅｔｏｏｔｈ接続である。
【００２１】
第１の可能な実施方式に関して、第２の可能な実施方式では、
制御信号は操作ジェスチャを含み、
第１のＮＦＣモジュールと第２のＮＦＣモジュールとの通信を用いてリモコン装置の第１の無線通信モジュールと端末デバイスの第２の無線通信モジュールとの接続を確立するステップの後に、当該方法は更に、
端末デバイスが第１の操作命令テーブルに従って端末デバイスの操作命令テーブルを更新できるように、端末デバイスに第１の操作命令テーブルを送信するステップ、
を有し、第１の操作命令テーブルは操作ジェスチャと応答命令の関係を記録し、
端末デバイスが制御信号に従って対応する操作を実行できるように制御信号を端末デバイスに送信するステップは、
端末デバイスが制御信号によって指示される操作ジェスチャに従って第１の操作命令テーブルにクエリを行い、クエリ結果に従って対応する応答命令を実行できるように、制御信号を端末デバイスに送信するステップ、
を含む。
【００２２】
第１の可能な実施方式に関して、第３の可能な実施方式では、
第１のＮＦＣモジュールと第２のＮＦＣモジュールとの通信を用いてリモコン装置の第１の無線通信モジュールと端末デバイスの第２の無線通信モジュールとの接続を確立するステップの後に、当該方法は更に、
第２の無線通信モジュールによって送信される第２の操作命令テーブルを受信するステップと、
第２の操作命令テーブルに従って、リモコン装置の操作命令テーブルを更新するステップと、
を有し、第２の操作命令テーブルは制御信号と応答命令との関係を記録し、
端末デバイスが制御信号に従って対応する操作を実行できるように制御信号を端末デバイスに送信するステップは、
端末デバイスが制御信号に搬送される応答命令を実行できるように、制御信号を端末デバイスに送信するステップ、
を含む。
【００２３】
第２の態様および第１〜第３の可能な実施方式に関して、第４の可能な実施方式では、
操作ジェスチャを分析するステップは、
タッチパッドによって報告されるタッチポイント情報を受信するステップであって、タッチポイントは連続的である、ステップと、
操作ジェスチャの開始位置座標および終了位置座標を記録するステップと、
終了位置座標におけるユーザーの操作停留時間を記録するステップと、
開始位置座標と終了位置座標との距離が第１の所定の距離以上であり、操作停留時間が第１の時間閾値以上である場合、操作ジェスチャがタッチしスライドした後にホールドするジェスチャであると判定するステップと、
を含む。
【００２４】
第２の態様および第１〜第４の可能な実施方式に関して、第５の可能な実施方式では、
操作ジェスチャを分析するステップは、
ユーザー操作によって生成されタッチパッドによって検出される接触領域を取得するステップと、
接触領域の中で環方向距離が最大である２点の間隔を第１の長さとして取得するステップと、
接触領域の中で軸方向距離が最大である２点の間隔を第２の長さとして取得するステップと、
を含む。
【００２５】
第５の可能な実施方式に関して、第６の可能な実施方式では、
操作ジェスチャを分析するステップは、更に、
リモコン装置の第１の移動方向における移動距が第１の所定の移動距離未満であり、第２の移動方向における移動距離が第２の所定の移動距離未満であり、且つ、第１の長さが第１の所定の長さ以上であり、第２の長さが第２の所定の長さ以上である場合、操作ジェスチャが覆うジェスチャであると判定するステップ、
を含み、
第１の移動方向は環状体の円周方向と平行であり、第２の移動方向はリモコン本体の軸方向と平行である。
【００２６】
第５の可能な実施方式に関して、第７の可能な実施方式では、
操作ジェスチャを分析するステップは、更に、
リモコン装置の第１の移動方向における移動距離が第１の所定の移動距離以上であり、移動時間が第１の所定の移動時間未満であり、同時に、ユーザーの移動停止位置における操作停留時間が第２の時間閾値以下であり、第１の長さが第１の所定の長さ以上であり、第２の長さが第２の所定の長さ以上である場合、操作ジェスチャが覆って回転させるジェスチャであると判定するステップ、
を含み、
第１の移動方向は環状体の円周方向と平行である。
【００２７】
第５の可能な実施方式に関して、第８の可能な実施方式では、
操作ジェスチャを分析するステップは、更に、
リモコン装置の第２の移動方向における移動距離が第２の所定の移動距離以上であり、移動時間が第２の所定の移動時間未満であり、同時に、ユーザーの移動停止位置における操作停留時間が第２の時間閾値以下であり、第１の長さが第１の所定の長さ以上であり、第２の長さが第２の所定の長さ以上である場合、操作ジェスチャが覆って平行移動させるジェスチャであると判定するステップ、
を含み、
第２の移動方向はリモコン本体の軸方向と平行である。
【００２８】
第５の可能な実施方式に関して、第９の可能な実施方式では、
操作ジェスチャを分析するステップは、更に、
リモコン装置の第１の移動方向における移動距離が第１の所定の移動距離以上であり、移動時間が第１の所定の移動時間未満であり、同時に、ユーザーの移動停止位置における操作停留時間が第２の時間閾値より長く、第１の長さが第１の所定の長さ以上であり、第２の長さが第２の所定の長さ以上である場合、操作ジェスチャが覆って回転させた後にホールドするジェスチャであると判定するステップ、
を含み、
第１の移動方向は環状体の円周方向と平行である。
【００２９】
第３の態様によれば、上記のいずれかのリモコン装置および端末デバイスを備える情報処理システムが提供される。端末デバイスは、リモコン装置によって送信される制御命令に従って、対応する操作を実行するように構成される。
【００３０】
第３の態様に関して、第１の可能な実施方式では、
端末デバイスは、携帯電話、テレビセットまたはコンピューターである。
【００３１】
本発明の実施形態は、リモコン装置、情報処理方法およびシステムを提供する。リモコン装置は、リモコン本体であって、装着可能な環状体であるリモコン本体と、ユーザーによって入力された操作ジェスチャによって生成された信号を検出するように構成されるセンサーと、プロセッサであって、センサーに接続され、操作ジェスチャによって生成された信号を分析し、分析結果に従って対応する制御信号を生成するように構成されるプロセッサと、プロセッサに接続され、端末デバイスが制御信号に従って対応する操作を実行できるように、制御信号を端末デバイスに送信するように構成される第１の無線通信モジュールと、を備える。このように、リモコン本体が装着可能な環状体であるので、リモコン装置はユーザーの体に装着可能である。更に、ユーザーは、センサーに対して操作ジェスチャを入力することにより、制御信号を端末デバイスに送信するようにリモコン装置を制御するので、プッシュボタン操作も振り幅の大きいハンドシェイクアクションも不要である。したがって、リモコン装置はユーザーエクスペリエンスを向上させることができ、持ち運びが容易である。
【図面の簡単な説明】
【００３２】
本発明の実施形態または従来技術における技術的解決策をより明確に説明するために、以下、実施形態または従来技術を説明するために必要な添付の図面を簡単に紹介する。当然ながら、以下の説明において、添付の図面は本発明のいくつかの実施形態を示すに過ぎない。当該技術分野の当業者であれば、創意工夫なく、これらの添付の図面から他の添付の図面を更に導出できるであろう。
【図１】本発明の実施形態に係るリモコン装置の概略構造図である。
【図２】本発明の実施形態に係る、リモコン装置のリモコン本体の円形軸断面図である。
【図３】本発明の実施形態に係るセンサーの概略構造図である。
【図４】本発明の実施形態に係る、タッチしスライドした後にホールドするジェスチャの概略図である。
【図５】本発明の実施形態に係る、覆うジェスチャの概略図である。
【図６】本発明の実施形態に係る、覆って回転させるジェスチャまたは覆って回転させた後にホールドするジェスチャの概略図である。
【図７】本発明の実施形態に係る、覆って平行移動させるジェスチャの概略図である。
【図８】本発明の実施形態に係る、接触領域の概略図である。
【図９】本発明の実施形態に係る、リモコン装置の別の概略構造図である。
【図１０】本発明の実施形態に係るリモコン装置の更に別の概略構造図である。
【図１１】本発明の実施形態に係るリモコン装置のモジュール間の接続方式の概略図である。
【図１２】本発明の実施形態に係る情報処理方法のフローチャートである。
【発明を実施するための形態】
【００３３】
以下、本発明の実施形態において添付の図面を参照して、本発明の実施形態における技術的解決策を明確且つ完全に説明する。当然ながら、説明される実施形態は本発明の実施形態の一部に過ぎず、全部ではない。当該技術分野の当業者が本発明の実施形態に基づいて創意工夫なく得た他の実施形態は全て、本発明の保護範囲に包含されるものとする。
【００３４】
本発明では、「および／または」という文言は関連する対象間の関連関係を説明するに過ぎず、また、３つの関係があり得ることを示す。例えば、Ａおよび／またはＢは、Ａのみの場合、ＡとＢの両方の場合、Ｂのみの場合の３つの場合を示し得る。加えて、本文中、記号「／」は一般に、該記号前後の関連する対象が「または」の関係にあることを示す。
【００３５】
図１に示されるように、本発明の実施形態は、以下の要素を有するリモコン装置１０を提供する。
【００３６】
リモコン本体１０１において、リモコン本体は装着可能な環状体である。環状体は、閉じていても閉じていなくてもよい。リモコン本体１０１は、腰や手首等の体の部位に巻き付けられてよい。例えば、図１のリモコン本体１０１は手首に巻き付けられる。本発明の実施形態で言及される環状体は、具体的には内表面および外表面を有するバングル型であってよく、また、内表面、外表面、上部底面および下部底面を有する円筒状の中空バレル型であってもよい。環状体の円形軸断面は図２に示されるものであってよい。円形軸断面において、斜線部分は固体であり、空白部分すなわち円Ａの部分は中空である。リモコン本体１０１を装着する際は、この空白部分に手首等の体の部位を通すことができる。円Ａおよび円Ｂは共通の円の中心ｏをもってよく、円Ａの半径ｒは円Ｂの半径Ｒより短い。円Ａの曲線（その境界は円Ａ内部に向かう）が位置する曲面Ｈがリモコン本体の内表面であり、＜円Ｂの曲線（その境界は円Ｂの外部に向かう）が位置する曲面Ｋがリモコン本体の外表面である。リモコン本体１０１の内表面はユーザーの体に接触してよい。
【００３７】
センサー１０２は、ユーザーによって入力された操作ジェスチャによって生成された信号を検出するように構成される。
【００３８】
プロセッサ１０３は、センサー１０２に接続され、操作ジェスチャによって生成された信号を分析し、分析結果に従って対応する制御信号を生成するように構成される。
【００３９】
第１の無線通信モジュール１０４は、プロセッサ１０３に接続され、端末デバイスが制御信号に従って対応する操作を実行できるように、制御信号を端末デバイスに送信するように構成される。端末デバイスは、携帯電話、テレビセット、コンピューター等のデバイスであってよい。
【００４０】
特に、図１において、センサー１０２、プロセッサ１０３および第１の無線通信モジュール１０４の形状および位置は、説明のための例に過ぎない。実際の適用では、センサー１０２、プロセッサ１０３および第１の無線通信モジュール１０４は、リモコン本体１０１の外表面に位置してよく、或いは、リモコン本体１０１の内表面に位置してよく、或いは、リモコン本体１０１に埋め込まれてよい。
【００４１】
このように、リモコン本体が装着可能な環状体であるので、リモコン装置はユーザーの体に装着可能である。更に、ユーザーは、センサーに対して操作ジェスチャを入力することにより、制御信号を端末デバイスに送信するようにリモコン装置を制御するので、プッシュボタン操作が不要である。したがって、リモコン装置はユーザーエクスペリエンスを向上させることができ、持ち運びが容易である。
【００４２】
更に、図３に示されるように、センサー１０２は、タッチパッド１０２１および／または加速度センサー１０２２および／または第１のセンサー１０２３を有してよい。
【００４３】
タッチパッド１０２１は、リモコン本体１０１の外表面に位置する。リモコン本体１０１の外表面を被覆してよく、或いはリモコン本体１０１の外表面に埋め込まれてよい。また、ユーザーによって入力されたタッチジェスチャを受けるように構成される。タッチジェスチャは、操作ジェスチャの１つである。
【００４４】
加速度センサー１０２２は、ユーザーがリモコン装置１０を振ると生成される加速度を電圧出力信号に変換するように構成される。加速度センサー１０２２は、プロセッサ１０３が電圧出力信号を分析してリモコン装置１０の振動の加速度および方向を取得できるように、プロセッサ１０３に接続されてよい。
【００４５】
第１のセンサー１０２３は、リモコン本体１０１の内表面に位置してよく、リモコン装置１０が移動したときに移動方向と移動方向における移動距離を検出し、検出結果をプロセッサ１０３に出力するように構成される。例示として、第１のセンサー１０２３は具体的に、光学マウスの誘導原理と同様に、発光ダイオード、光学レンズ要素、光学センサー、画像処理チップ等によって形成されてよい。発光ダイオードは、光が接触可能領域によって反射されて光学レンズ要素を介して光学センサーに達するように、環状のリモコン装置の内表面によって接触可能なユーザーの体の領域（手首の肌等）に連続して光を照射してよい。光学センサーは、光信号を電気信号に変換し、該電気信号を画像処理チップに送信する。画像処理チップは電気信号を処理し、リモコン装置の移動方向と移動方向における移動距離とをプロセッサに出力する。また、第１のセンサーは、移動方向および移動距離を検出するように構成される他の複数のセンサーの１つであってもよく、本発明では限定されない。リモコン装置は更に、ＮＦＣ機能をもつ別のデバイスとＮＦＣ通信を実行するように構成される第１のＮＦＣモジュール１０５を有する。
【００４６】
プロセッサ１０３は更に、以下のように構成されてよい。すなわち、タッチパッド１０２１が受けた操作ジェスチャがペアリングを示すジェスチャである場合、第１のＮＦＣモジュール１０５が所定の時間閾値内に端末デバイス２０の第２のＮＦＣモジュール２０１と接続を確立し通信できるように、第１のＮＦＣ（Near  Field  Communication、近距離無線通信）モジュール１０５を起動するように構成されてよい。第１のＮＦＣモジュールと第２のＮＦＣモジュールとの距離は特定の距離範囲内であり、特定の距離範囲は一般に０〜１０ｃｍである。
【００４７】
留意すべきこととして、第１のＮＦＣモジュール１０５は、第１のＮＦＣモジュール１０５と端末デバイス２０の第２のＮＦＣモジュール２０１との距離が特定の距離範囲内であるとき、端末デバイス２０の第２のＮＦＣモジュール２０１と接続を確立することができる。図３では、端末デバイス２０が携帯電話である例を用いている。
【００４８】
第１の無線通信モジュール１０４は更に、第１のＮＦＣモジュール１０５と第２のＮＦＣモジュール２０１の間の通信を用いて、リモコン装置１０の第１の無線通信モジュール１０４と端末デバイス２０の第２の無線通信モジュール（図３では標記なし）の間の接続を確立するように構成される。リモコン装置１０の第１の無線通信モジュール１０４と端末デバイスの第２の無線通信モジュール２１０との接続は、Ｗｉ−Ｆｉ（Wireless  Fidelity、ワイヤレス・フィディリティ）またはＢｌｕｅｔｏｏｔｈ接続である。具体的には、第１のＮＦＣモジュール１０５と第２のＮＦＣモジュール２０１との間で接続が確立された後、第１の無線通信モジュール１０４および第２の無線通信モジュールの関連情報が該接続を通じて送信されてよく、関連情報に従って、第１の無線通信モジュール１０４および第２の無線通信モジュールの通信リンクに対してペアリングが実行されてよい。第１の無線通信モジュール１０４および第２の無線通信モジュールは、Ｂｌｕｅｔｏｏｔｈ通信モジュールやワイヤレス・フィディリティモジュール等であってよい。通信リンクのペアリングが成功した後、第１の無線通信モジュール１０４と第２の無線通信モジュールとの間で無線接続が確立される。第１の無線通信モジュール１０４と第２の無線通信モジュールとの間で無線接続が確立された後、該２つのモジュールは互いに通信することができ、第１の無線通信モジュール１０４は、第２の無線通信モジュールに制御信号を送信することにより、対応する操作を実行するように端末デバイス２０を制御することができる。
【００４９】
本発明の実施形態において、ペアリングを指示するジェスチャが受け取られた後、第１のＮＦＣモジュールと第２のＮＦＣモジュールとの間でペアリング接続が実行される。ユーザーのペアリングを指示する操作ジェスチャが受け取られなかった場合、第１のＮＦＣモジュールと第２のＮＦＣモジュールとの距離が特定の距離範囲内まで縮められたとしても、第１のＮＦＣモジュールが作動されないので接続を実行することはできない。したがって、ユーザーによる意図せぬ接触によって生じる誤接続が効果的に低減される。更に、第２のＮＦＣモジュールが端末デバイスに設けられる限りは、ユーザーイクイップメントはペアリング接続を用いて、リモコン装置を端末デバイスに接続することができ、それによって端末デバイスを制御する。したがって、リモコン装置は、例えば携帯電話、ポータブルコンピューター、パームトップコンピューター等の複数の端末デバイスを制御することができる。
【００５０】
留意すべきこととして、第１の無線通信モジュール１０４と第２の無線通信モジュールとの間で接続が確立された後、端末デバイス２０の画面は、接続が成功したことを表示して、接続が成功したことをユーザーにリマインドしてよい。
【００５１】
更に、第１の無線通信モジュール１０４と第２の無線通信モジュールとの間で無線接続が確立された後、第１の無線通信モジュールは更に、端末デバイスが第１の操作命令テーブルに従って端末デバイスの操作命令テーブルを更新できるように、第２の無線通信モジュールに第１の操作命令テーブルを送信するように構成されてよい。第１の操作命令テーブルは、操作ジェスチャと応答命令との間の対応関係を記録する。例えば、操作ジェスチャがタップジェスチャであり、対応する応答命令はファイルを開くことである。プロセッサは具体的に、ユーザーによって入力された操作ジェスチャによって生成された信号に従って、操作ジェスチャを指示する制御信号を生成するように構成される。すなわち、プロセッサは、操作ジェスチャによって生成された検出された信号に従って特定の操作ジェスチャを決定し、操作ジェスチャに従って、該操作ジェスチャを指示する制御信号を生成する。第１の無線通信モジュールは具体的に、端末デバイスが制御信号によって指示される操作ジェスチャに従って第１の操作命令テーブルにクエリを行い、クエリ結果に従って対応する応答命令を実行できるように、制御信号を端末デバイスに送信するように構成される。端末デバイスがマッピングテーブルを第１の操作命令テーブルに更新するので、実際の適用では、制御信号は操作ジェスチャのみを含んでよく、これにより、プロセッサによる操作ジェスチャの処理のプロセスが低減され、リモコン装置による端末デバイスの制御のプロセスが単純化される。
【００５２】
第１の無線通信モジュールは更に、第２の無線通信モジュールによって送信された第２の操作命令テーブルを受信するように構成されてよい。第１の無線通信モジュールは更に、第２の操作命令テーブルに従ってリモコン装置の操作命令テーブルを更新するように構成される。第２の操作命令テーブルは制御信号と応答命令との関係を記録する。例えば、制御信号は第１の制御信号であり、対応する応答命令はファイルを開くことである。プロセッサは具体的に、操作ジェスチャに従って第２の操作命令テーブルにクエリを行い、操作ジェスチャに対応する応答命令を搬送する制御信号を生成するように構成される。具体的には、プロセッサは、ユーザーによって入力された操作ジェスチャによって生成されセンサーによって検出された信号を分析し、分析結果に従って第２の操作命令テーブルにクエリを行って、操作ジェスチャに対応する応答命令を取得し、応答命令を搬送する制御信号を生成してよい。第１の無線通信モジュールは具体的に、端末デバイスが制御信号に搬送される応答命令を実行できるように、制御信号を端末デバイスに送信するように構成される。このように、操作命令テーブルを第２の操作命令テーブルに更新することにより、リモコン装置は複数の端末デバイスに接続することができ、リモコン装置が使用可能な範囲が拡張される。
【００５３】
特に、対応する操作を実行した後、端末デバイスは確立された無線接続を介して、リモコン装置にフィードバック信号を送信してよい。フィードバック信号は、操作が成功したか、または操作が失敗したことを示す。プロセッサ１０３は、フィードバック信号に従って、リモコン装置１０の対応するモジュールを制御して、ユーザーに提示するために音声信号またはカラー信号を送信してよい。
【００５４】
留意すべきこととして、操作ジェスチャは、タップジェスチャ、タッチしてホールドするジェスチャ、ダブルタップジェスチャ、トリプルタップジェスチャ、スライドジェスチャ、タッチしスライドした後にホールドするジェスチャ、ドラッグジェスチャ、２本の指を用いるジェスチャ、覆うジェスチャ、覆って回転させるジェスチャ、覆って平行移動させるジェスチャ、覆って回転させた後にホールドするジェスチャ等を含んでよい。タップジェスチャ、タッチしてホールドするジェスチャ、ダブルタップジェスチャ、トリプルタップジェスチャ、スライドジェスチャ、ドラッグジェスチャおよび２本の指を用いるジェスチャは、タッチジェスチャであり、主にタッチパッドを用いて検出され、これは従来技術と同様であり、本発明では詳述しない。操作ジェスチャに関する操作は振幅の小さいアクションを含み、覚えやすい。ユーザーは、異なるプッシュボタンを押すことなく単純な操作ジェスチャのみを用いて、端末デバイスを制御する。したがって、ユーザーエクスペリエンスを向上させることができる。
【００５５】
操作ジェスチャがタッチしスライドした後にホールドするジェスチャである場合、図４に示されるように、指４０は点Ｑを始点として矢印の方向に点Ｐまでスライドし、点Ｐで一定時間留まる。留意すべきこととして、矢印ｔはリモコン本体１０１の外表面に位置し、したがって湾曲した矢印である。矢印ｔは、指４０のタッチパッド（図４では標記なし）上でのスライド軌道およびスライド方向を示す。図４における矢印ｔの方向は説明上の例示に過ぎない。実際の適用では、矢印ｔは任意の方向を示してよく、本発明は限定されない。
【００５６】
このとき、プロセッサ１０３は特に、タッチパッドによって報告されるタッチポイント情報に従って、且つ、タッチポイントが連続的であることに従って、操作ジェスチャがスライドであると判定し、操作ジェスチャの開始位置座標および終了位置座標（すなわち、図４の点Ｑおよび点Ｐの位置）を記録し、終了位置座標におけるユーザーの操作停留時間（すなわち、点Ｐでの操作停留時間）を記録し、開始位置座標と終了位置座標との距離が第１の所定の距離以上であり、操作停留時間が第１の時間閾値以上である場合、操作ジェスチャがタッチしスライドした後にホールドするジェスチャであると判定するように構成される。
【００５７】
操作ジェスチャが覆うジェスチャである場合、図５に示されるように、ユーザーの手５０がリモコン本体１０１の外表面を覆う。指および掌がリモコン本体１０１の外表面の湾曲方向に沿って外表面を覆い、最大限タッチパッドに接触する。
【００５８】
操作ジェスチャが覆って回転させるジェスチャである場合、図６に示されるように、ユーザーの手５０がリモコン本体１０１の外表面を覆う。指および掌がリモコン本体１０１の外表面の湾曲方向に沿って覆い、最大限タッチパッドに接触し、それからリモコン本体１０１の環方向に回転する。例えば、図６の矢印の方向に回転するか、或いは、最初に矢印の方向に回転してから別の矢印の方向に回転する。回転が停止した後、ユーザーの手５０はリモコン本体１０１の外表面から即座に離れる。
【００５９】
操作ジェスチャが覆って平行移動させるジェスチャである場合、図７に示されるように、ユーザーの手５０がリモコン本体１０１の外表面を覆う。指および掌がリモコン本体１０１の外表面の湾曲方向に沿って覆い、最大限タッチパッドに接触する。それから、指および掌がリモコン本体１０１をホールドし、リモコン本体１０１の軸方向において平行移動を行う。例えば、図７の矢印の方向において平行移動を行うか、或いは、最初に矢印の方向に移動してから、別の矢印の方向において平行移動を行う。平行移動が停止した後、ユーザーの手５０はリモコン本体１０１の外表面から即座に離れる。例として、リモコン装置がユーザーの腕に装着される場合、図７の矢印方向はユーザーの腕に平行である。
【００６０】
操作ジェスチャが覆って回転させた後にホールドするジェスチャである場合、図６に示されるように、ユーザーの手５０がリモコン本体１０１の外表面を覆う。指および掌がリモコン本体１０１の外表面の湾曲方向に沿って覆い、最大限タッチパッドに接触してから、リモコン本体の環方向に回転する。例えば、図６の矢印の方向に回転するか、或いは、最初に矢印の方向に回転してから、別の矢印の方向に回転する。回転が停止した後、ユーザーの手５０はリモコン本体１０１の外表面上に一定時間留まる。
【００６１】
プロセッサ１０３は、特に、まずユーザー操作によって生成されタッチパッドによって検出される接触領域を取得し、それから、ユーザー操作によってタッチパッド上に生成された接触領域を分析するように構成される。タッチパッド１０２１が展開後に図８に示す矩形を呈し、接触領域６０が展開後に図８に示す不規則な領域を呈すると仮定する。プロセッサは、接触領域の中で環方向距離が最大である２点の間隔を第１の長さｘとして取得してよく、接触領域の中で軸方向距離が最大である２点の間隔を第２の長さｙとして取得してよい。それから、プロセッサはリモコン装置が移動したか否かを判定する。移動には、回転移動および平行移動が含まれる。リモコン装置の第１の移動方向における移動距離が第１の所定の移動距離未満であり、第２の移動方向における移動距離が第２の所定の移動距離未満であり、且つ、第１の長さｘが第１の所定の長さ以上であり、第２の長さｙが第２の所定の長さ以上である場合、操作ジェスチャが覆うジェスチャであると判定される。第１の移動方向は環状体の円周方向と平行であり、第２の移動方向はリモコン本体の軸方向と平行である。
【００６２】
留意すべきこととして、第１の長さｘと第２の長さｙを取得するプロセスを単純化するために、第１の長さｘおよび第２の長さｙが取得される前に、更に、まず接触領域６０に対して形状近似処理が実行して、接触領域６０を矩形や楕円等の形状に近似してよい。留意すべきこととして、リモコン装置が移動したか否かは、第１のセンサー１０２３によって生成された信号に従って判定されてよい。
【００６３】
リモコン装置の第１の移動方向における移動距離が第１の所定の移動距離以上であり、移動時間が第１の所定の移動時間未満であり、同時に、ユーザーの移動停止位置における操作停留時間が第２の時間閾値以下であり、第１の長さが第１の所定の長さ以上であり、第２の長さが第２の所定の長さ以上である場合、操作ジェスチャが覆って回転させるジェスチャであると判定される。第１の移動方向（すなわち環方向）は環状体の円周方向と平行である。
【００６４】
リモコン装置の第２の移動方向における移動距離が第２の所定の移動距離以上であり、移動時間が第２の所定の移動時間よりも短く、同時に、ユーザーの移動停止位置における操作停留時間が第２の時間閾値未満であり、第１の長さが第１の所定の長さ以上であり、第２の長さが第２の所定の長さ以上である場合、操作ジェスチャが覆って平行移動させるジェスチャであると判定される。第２の移動方向（すなわち軸方向）は、リモコン本体の軸方向と平行である。
【００６５】
留意すべきこととして、第１の所定の移動距離は、第２の所定の移動距離と等しくても等しくなくてもよく、本発明では限定されない。第２の移動方向は、リモコン本体の軸方向に平行であってよい。第１の所定の移動時間および第２の所定の移動時間は、リモコン装置がユーザーによって操作されていると判定するために設定される。規定の時間内の規定の距離範囲内の規定の方向における移動が判定され、ダンスやランニングなど、ユーザーが体を動かすことによって生じる移動が判定されることが回避される。よって、誤操作が低減される。第１の所定の移動時間は第２の所定の移動時間と等しくても等しくなくてもよく、本発明では限定されない。
【００６６】
リモコン装置の第１の移動方向における移動距離が第１の所定の移動距離以上であり、移動時間が第１の所定の移動時間よりも短く、同時に、ユーザーの移動停止位置における操作停留時間が第２の時間閾値よりも長く、第１の長さが第１の所定の長さ以上であり、第２の長さが第２の所定の長さ以上である場合、操作ジェスチャが覆って回転させた後にホールドするジェスチャであると判定される。第１の移動方向（すなわち環方向）は、環状体の円周方向と平行である。
【００６７】
上述の操作ジェスチャを用いることにより、ユーザーは端末デバイスを制御して異なる操作を実行することができる。端末デバイスによって実行される異なる操作は、実際の状況に従って設定されてよい。例示として、ユーザーがリモコン装置を用いてテレビ番組の進み具合を制御するとき、複数のアイコンがテレビの画面に表示されると仮定する。ユーザーは、スライドジェスチャを用いて、タッチパッド上でスライドすることにより、アイコンを選択することができる。テレビに表示されるカーソルは、スライドジェスチャと連動して複数のアイコン状を移動する。スライドジェスチャが停止したとき、カーソルが留まっているアイコンが選択されたアイコンである。それからユーザーは、タッチしてホールドするジェスチャを用いて、タッチパッド上の任意の位置に留まることにより、アイコンを開くことができる。ユーザーがタップジェスチャを用いてタッチパッド上の任意の点をタップしたとき、ビデオの再生の開始を表すと仮定する。ユーザーがタッチパッド上の任意の点を再度タップするとき、ビデオの再生の一時停止が表されてよい。ユーザーが覆うジェスチャを用いてリモコン装置をホールドするとき、ビデオのコンテンツ操作の開始を表してよい。例示として、ユーザーがリモコン装置を用いて携帯電話を操作してミニブログを閲覧する場合、ユーザーは、覆って回転させるジェスチャを用いて、携帯電話の画面上のミニブログを下方にスクロールすることができる。いくつかの投稿をスクロールした後、覆って回転させるジェスチャが停止すると、ミニブログのスクロールが停止する。また、ユーザーは、覆って回転させた後にホールドするジェスチャを用いて、携帯電話の画面上のミニブログを下方にスクロールすることもできる。ホールド中はミニブログのスクロールが継続され、ユーザーが手を離してホールドを停止した後にのみ、ミニブログは徐々に停止する。ユーザーは更にスライドジェスチャを用いて音量調整等を行うことができ、本発明では限定されない。
【００６８】
留意すべきこととして、図９に示されるように、第１のセンサー１０２３は更に、プロセッサ１０３が移動方向と移動方向における移動距離とに従って、リモコン装置が移動したか否かを判定できるように、移動方向と移動方向における移動距離とをプロセッサ１０３に送信するように構成される。リモコン装置は複数の状況において移動する可能性があり、ここでは移動は回転移動および平行移動を含むので、したがってプロセッサによって移動が判定される必要がある。具体的には、プロセッサ１０３は、リモコン装置の第１の移動方向における移動距離が第１の所定の移動距離未満であり、第２の移動方向における移動距離が第２の所定の移動距離未満である場合、リモコン装置が移動していないと判定してよく、移動距離が第１の所定の移動距離以上であり、移動方向が第１の移動方向である場合、リモコン装置に回転移動が発生したと判定してよい。図１０に示されるように、第１の移動方向（すなわち環方向）は、環状体の円周方向と平行であってよく、例えば矢印ｚの方向であってよい。矢印ｚは、湾曲した矢印である。ユーザーがリモコン装置に対して第１の移動方向に力を加えると、リモコン装置は軸線ｎを中心に回転してよい。移動距離が第２の所定の移動距離以上であり、移動方向が第２の移動方向である場合、リモコン装置に平行移動が発生したと判定される。図１０に示されるように、特に、第１の移動方向（すなわち環方向）は、円形軸断面Ｔ（軸線ｎと垂直である）の接線方向と平行な方向であってもよい。このとき、第１の移動方向における移動距離は、リモコン本体の外表面Ｗ上での実際の移動距離の、第１の移動方向における投影値である。第２の移動方向（すなわち軸方向）は、軸線ｎの方向と平行であってよく、例えば矢印ｅの方向であってよい。ユーザーがリモコン装置に対して第２の移動方向に力を加えると、リモコン装置は軸線ｎと平行な方向において平行移動を実行する。留意すべきこととして、実際の適用では、第１のセンサー１０２３による測定によって取得される移動方向と第１の移動方向との間、また、移動方向と第２の移動方向との間に、夾角が存在する可能性がある。移動方向と第１の移動方向の間の角度が所定の角度範囲内である場合、移動方向は第１の移動方向であるとみなされてよい。移動方向と第２の移動方向の間の角度が所定の角度範囲内である場合、移動方向は第２の移動方向であるとみなされてよい。所定の夾角は一般に４５度未満の角度である。
【００６９】
リモコン装置１０は更にマイク１０６を備えてよい。マイク１０６は、リモコン本体１０１の外表面に位置し、外部音声入力を受けるように構成される。
【００７０】
スピーカー（図示なし）は、リモコン本体１０１の外表面に位置し、通知音を出力するように構成される。リモコン装置にスピーカーがない場合、通知音は端末デバイスのスピーカーを用いてしゅつりょくされてよい。
【００７１】
表示灯１０７は、リモコン本体１０１の外表面に位置し、ユーザーに向けて異なる色の表示信号を提供するように構成される。
【００７２】
特に、リモコン装置１０は更に、リモコン装置１０内のモジュールに電力を供給するように構成される電源モジュール１０８を有する。本発明の実施形態では、センサー１０２は、タッチパッド１０２１、加速度センサー１０２２および第１のセンサー１０２３を有してよい。リモコン装置１０内のモジュール間の接続方式を図１１に示す。プロセッサ１０３、第１の無線通信モジュール１０４、タッチパッド１０２１、加速度センサー１０２２、第１のセンサー１０２３、マイク１０６および表示灯１０７は、全てリモコン本体に位置する。電源モジュール１１０はリモコン装置１０内のモジュールに接続され、モジュールに電力を供給するように構成される。タッチパッド１０２１、第１のセンサー１０２３、加速度センサー１０２２、マイク１０６、第１の無線通信モジュール１０４および表示灯１０７は、別々にプロセッサ１０３に接続される。タッチパッド１０２１は、プロセッサ１０３に対して、操作ジェスチャのうちタッチジェスチャによって生成される信号を提供する。第１のセンサー１０２３は、プロセッサ１０３に対して、リモコン装置の移動方向と移動方向における移動距離とを提供する。加速度センサー１０２２は、プロセッサ１０３に対して加速度信号を提供する。プロセッサ１０３は、上述の信号に従って判定を実行して、対応する操作ジェスチャを取得し、該操作ジェスチャに従って、操作ジェスチャを指示する制御信号を生成するか、または応答命令を搬送する制御信号を生成し、該制御信号を第１の無線通信モジュール１０４に送信してよい。第１の無線通信モジュール１０４は制御信号を端末デバイス２０の第２の無線通信モジュール２０２に送信し、第２の無線通信モジュール２０２は制御信号を端末デバイス２０の対応するモジュールに送信することにより、端末デバイス２０が制御信号によって指示される命令を実行できるようにする。そして、第２の無線通信モジュール２０２は第１の無線通信モジュール１０４にフィードバック信号を返し、第１の無線通信モジュール１０４はフィードバック信号をプロセッサ１０３に送信し、プロセッサ１０３はフィードバック信号に従って、表示灯１０７に特定の指示信号を表示するように指示する。
【００７３】
ユーザーは、異なるアクションを用いることによって端末デバイスを制御して、異なる操作を実行することもできる。端末デバイスによって実行される異なる操作は、実際の状況に従って設定されてよい。例示として、ユーザーは、リモコン装置を振ることによって音楽の再生を制御することができる。最初に、ユーザーがリモコン装置を１回振ると、音楽のランダム再生の開始を表してよい。ユーザーがリモコン装置を再度振ると、音楽の再生の停止を表してよい。ユーザーがリモコン装置を２回振ることは、次の曲の再生を表してよい。ユーザーがリモコン装置を３回振ることは、前の曲の再生を表してよい。ユーザーは、マイクに息を吹きかけることにより、ビデオや画像の再生の進み具合等を制御することもできる。本発明の実施形態によって提供されるリモコン装置では、ユーザーは操作ジェスチャと異なるボディーアクションを用いることにより、端末デバイスを制御して異なる操作を実行させることができ、これにより、ユーザーに対して複数の制御方式が選択のために提供される。したがって、ユーザーエクスペリエンスを向上させることができる。
【００７４】
留意すべきこととして、本発明の実施形態における距離は、曲面での距離だけでなく直線距離であってもよく、本発明では限定されない。
【００７５】
本発明の実施形態によって提供されるリモコン装置について、リモコン本体が装着可能な環状体であるので、リモコン装置はユーザーの体に装着可能である。更に、ユーザーは、センサーに対して操作ジェスチャを入力することにより、リモコン装置を制御して制御信号を端末デバイスに送信させるので、プッシュボタン操作は不要である。加えて、操作命令テーブルを更新することにより、リモコン装置は複数の端末デバイスを制御し、端末デバイスに対する複数の制御方式を選択のために提供することができる。したがって、リモコン装置はユーザーエクスペリエンスを向上させることができ、持ち運びが容易である。
【００７６】
図１２に示されるように、本発明の実施形態は、リモコン装置に適用される情報処理方法を提供する。該方法は、以下のステップを有する。
【００７７】
ステップ７０１：ユーザーによって入力された操作ジェスチャによって生成される信号を受信する。操作ジェスチャは、タッチしスライドした後にホールドするジェスチャ、覆うジェスチャ、覆って回転させるジェスチャ、覆って平行移動させるジェスチャまたは覆って回転させた後にホールドするジェスチャを含む。
【００７８】
ステップ７０２：操作ジェスチャによって生成される信号を分析する。
【００７９】
ステップ７０３：分析結果に従って制御信号を生成する。
【００８０】
ステップ７０４：端末デバイスが制御信号に従って対応する操作を実行できるように、制御信号を端末デバイスに送信する。
【００８１】
このように、ユーザーは操作ジェスチャを用いることによりリモコン装置を制御して制御信号を端末デバイスに送信させるので、プッシュボタン操作は不要である。したがって、ユーザーエクスペリエンスを向上させることができる。
【００８２】
留意すべきこととして、ステップ７０１の前に、更に、最初にペアリングアクションが実行されてよい。具体的には、ペアリングを示す操作ジェスチャを受け、リモコン装置の第１のＮＦＣモジュールを起動し、所定の時間閾値内に、第１のＮＦＣモジュールと端末デバイスの第２のＮＦＣモジュールとの距離が特定の距離範囲にまで短縮されたとき、第１のＮＦＣモジュールが、第２のＮＦＣモジュールとの接続を確立し通信を行い、第１のＮＦＣモジュールと第２のＮＦＣモジュールとの通信を用いて、リモコン装置の第１の無線通信モジュールと端末デバイスの第２の無線通信モジュールとの接続を確立する、すなわち、第１の無線通信モジュール１０４と第２の無線通信モジュール２０２との間で無線接続を確立する。リモコン装置の第１の無線通信モジュールと端末デバイスの第２の無線通信モジュールとの接続は、ワイヤレス・フィディリティ（Ｗｉ−Ｆｉ）またはＢｌｕｅｔｏｏｔｈ接続である。
【００８３】
留意すべきこととして、第１のＮＦＣモジュールと第２のＮＦＣモジュールとの通信を用いて、リモコン装置の第１の無線通信モジュールと端末デバイスの第２の無線通信モジュールとの接続を確立するステップの後、本方法は更に、
端末デバイスが第１の操作命令テーブルに従って端末デバイスの操作命令テーブルを更新できるように、端末デバイスに第１の操作命令テーブルを送信するステップであって、第１の操作命令テーブルは操作ジェスチャと応答命令の関係を記録する、ステップ、
を有してよい。端末デバイスが制御信号に従って対応する操作を実行できるように制御信号を端末デバイスに送信するステップは、端末デバイスが制御信号によって指示される操作ジェスチャに従って第１の操作命令テーブルにクエリを行い、クエリ結果に従って対応する応答命令を実行できるように、操作ジェスチャを指示する制御信号を端末デバイスに送信するステップ、を含む。
【００８４】
第１のＮＦＣモジュールと第２のＮＦＣモジュールとの通信を用いてリモコン装置の第１の無線通信モジュールと端末デバイスの第２の無線通信モジュールとの接続を確立するステップの後に、本方法は更に、
端末デバイスの第２の無線通信モジュールによって送信される第２の操作命令テーブルを受信するステップと、第２の操作命令テーブルに従って、リモコン装置の操作命令テーブルを更新するステップと、
を有する。第２の操作命令テーブルは、操作ジェスチャと応答命令との関係を記録する。端末デバイスが制御信号に従って対応する操作を実行できるように制御信号を端末デバイスに送信するステップは、端末デバイスが制御信号に搬送される応答命令を実行できるように、応答命令を搬送する制御信号を端末デバイスに送信するステップ、を含む。
【００８５】
更に、操作ジェスチャを分析するステップは、
タッチパッドによって報告されるタッチポイント情報を受信するステップであって、タッチポイントは連続的である、ステップと、
操作ジェスチャの開始位置座標および終了位置座標を記録するステップと、
終了位置座標におけるユーザーの操作停留時間を記録するステップと、
開始位置座標と終了位置座標との距離が第１の所定の距離以上であり、操作停留時間が第１の時間閾値以上である場合、操作ジェスチャがタッチしスライドした後にホールドするジェスチャであると判定するステップと、
を含んでよい。
【００８６】
操作ジェスチャを分析するステップは更に、
ユーザー操作によって生成されタッチパッドによって報告される接触領域を取得するステップと、
接触領域の中で環方向距離が最大である２点の間隔を第１の長さとして取得するステップと、
接触領域の中で軸方向距離が最大である２点の間隔を第２の長さとして取得するステップと、
リモコン装置が移動したか否かを判定するステップであって、移動は回転移動および平行移動を含む、ステップと、
を含んでよい。例として、リモコン装置の第１の移動方向（すなわち環方向）における移動距離が第１の所定の移動距離未満であり、リモコン装置の第２の移動方向（すなわち軸方向）における移動距離が第２の所定の移動距離未満である場合、リモコン装置が移動していないと判定される。移動距離が第１の所定の移動距離以上であり、移動方向が第１の移動方向である場合、リモコン装置に回転移動が発生したと判定される。移動距離が第２の所定の移動距離以上であり、移動方向が第２の移動方向である場合、リモコン装置に平行移動が発生したと判定される。
【００８７】
リモコン装置の第１の移動方向における移動距離が第１の所定の移動距離未満であり、第２の移動方向における移動距離が第２の所定の移動距離未満であり、且つ、第１の長さが第１の所定の長さ以上であり、第２の長さが第２の所定の長さ以上である場合、操作ジェスチャが覆うジェスチャであると判定される。第１の移動方向は環状体の円周方向と平行であり、第２の移動方向はリモコン本体の軸方向と平行である。
【００８８】
リモコン装置の第１の移動方向における移動距離が第１の所定の移動距離以上であり、移動方向が第１の移動方向であり、且つ、移動時間が第１の所定の移動時間未満であり、同時に、ユーザーの移動停止位置における操作停留時間が第２の時間閾値以下であり、第１の長さが第１の所定の長さ以上であり、第２の長さが第２の所定の長さ以上である場合、操作ジェスチャが覆って回転させるジェスチャであると判定される。第１の移動方向は、環状体の円周方向と平行である。
【００８９】
リモコン装置の第２の移動方向における移動距離が第２の所定の移動距離以上であり、移動方向が第２の移動方向であり、且つ、移動時間が第２の所定の移動時間よりも短く、同時に、ユーザーの移動停止位置における操作停留時間が第２の時間閾値未満であり、第１の長さが第１の所定の長さ以上であり、第２の長さが第２の所定の長さ以上である場合、操作ジェスチャが覆って平行移動させるジェスチャであると判定される。第２の移動方向は、リモコン本体の軸方向と平行である。
【００９０】
リモコン装置の第１の移動方向における移動距離が第１の所定の移動距離以上であり、移動方向が第１の移動方向であり、且つ、移動時間が第１の所定の移動時間より短く、同時に、ユーザーの移動停止位置における操作停留時間が第２の時間閾値より長く、第１の長さが第１の所定の長さ以上であり、第２の長さが第２の所定の長さ以上である場合、操作ジェスチャが覆って回転させた後にホールドするジェスチャであると判定される。第１の移動方向は、環状体の円周方向と平行である。
【００９１】
当業者であれば明らかに理解できるように、説明を簡便且つ簡潔にするために、上述の方法の特定のステップについて、上述のリモコン装置の実施形態における対応するプロセスを参照することができ、詳細の説明は省略する。
【００９２】
本発明の実施形態によって提供される情報処理方法では、ユーザーは操作ジェスチャを入力することにより、リモコン装置を制御して制御信号を端末デバイスに送信させる。操作ジェスチャに関する操作は振幅の小さいアクションを含み、従来のジェスチャ操作と同じであるか類似するので、覚えやすい。ユーザーは、異なるプッシュボタンを押すことなく単純な操作ジェスチャのみを用いて端末デバイスを制御するので、プッシュボタン操作も振幅の大きいハンドアクションも不要である。リモコン装置は複数の端末デバイスを制御することができる。したがって、ユーザーエクスペリエンスを向上させることができる。
【００９３】
本発明の実施形態における情報処理システムは、本発明の実施形態のいずれかによって提供されるリモコン装置と、端末デバイスとを含む。端末デバイスは、リモコン装置によって送信される制御命令に従って、対応する操作を実行するように構成される。
【００９４】
端末デバイスは、携帯電話、テレビセット、コンピューター等であってよい。
【００９５】
本願において提供されるいくつかの実施形態において、当然ながら、開示されるシステム、装置および方法が他の方式で実現されてよい。例えば、記載の装置実施形態は概略的なものに過ぎない。例えば、ユニット区分は論理機能区分に過ぎず、実際の実施では他の区分方式であってよい。例えば、複数のユニットまたはコンポーネントは、別のシステムに組合わせられてよく、或いは統合されてよい。或いは、一部の特徴が省略されてよく、或いは実行されなくてよい。加えて、表示または記載された相互の結合または直接結合または通信接続は、いくつかのインターフェースを介して実現されてよい。装置間またはユニット間の間接結合または通信接続は、電子的形式、機械的形式その他の形式で実現されてよい。
【００９６】
個別の要素として記載されたユニットは、物理的に分離していてもいなくてもよい。ユニットとして表された要素は物理的ユニットであってもなくてもよく、１箇所に位置しても、複数のネットワークユニットに分布してもよい。実際の需要に従ってユニットの一部または全部を選択して、実施形態の解決策の目的を達成することができる。
【００９７】
加えて、本発明の実施形態における機能的ユニットは１つの処理ユニットに統合されてよく、或いは、ユニットの各々が単独で物理的に存在してよく、或いは、２以上のユニットが１つのユニットに統合されてよい。統合されたユニットは、ハードウェアの形式で実現されてよく、ハードウェアにソフトウェア機能ユニットを加えた形式で実現されてもよい。
【００９８】
上述の説明は本発明の特定の実施形態に過ぎず、本発明の保護範囲の限定は意図するものではない。本発明に開示された技術的範囲内で当業者により容易に想到される任意の変形または置換は、本発明の保護範囲に包含されるものとする。したがって、本発明の保護範囲は、特許請求の範囲の保護範囲に準じるものとする。
【図１】
0006275839.tif 000002
【図２】
0006275839.tif 000003
【図３】
0006275839.tif 000004
【図４】
0006275839.tif 000005
【図５】
0006275839.tif 000006
【図６】
0006275839.tif 000007
【図７】
0006275839.tif 000008
【図８】
0006275839.tif 000009
【図９】
0006275839.tif 000010
【図１０】
0006275839.tif 000011
【図１１】
0006275839.tif 000012
【図１２】
0006275839.tif 000013